(57)【要約】【課題】パッキンを組み込む際にパーティングラインが防水ケースとの接触面に位置しないようにし、また砂等がパッキンに付着してもその影響を受けないようにする。【解決手段】略円柱形のパッキンのパーティングラインを境として上半分と下半分が異なる構成物で形成され、前記異なる構成物で形成される上半分と下半分の大きさを異ならせてパーティングラインの位置に段差を形成したことを特徴とする防水パッキン及び、略円柱形のパッキンのパーティングラインを境として上半分と下半分が材質の異なる構成物で構成され、前記下半分よりも前記上半分の方が硬度が柔らかく、前記下半分は前記パッキンの一部を支持してもその形状を維持できる程度の硬度を有し、前記上半分は砂粒が埋没可能な程度の柔らかさであることを特徴とする防水パッキンを提供する。【選択図】図１
2008197277.tif 000002
【特許請求の範囲】
【請求項１】
略円柱形のパッキンのパーティングラインを境として上半分と下半分が異なる構成物で形成され、前記異なる構成物で形成される上半分と下半分の大きさを異ならせてパーティングラインの位置に段差を形成したことを特徴とする防水パッキン。
【請求項２】
前記段差は、前記円柱形の軸方向に垂直な断面が、半径の異なる２つの半円の直径部分を接合した形状を有して形成されたことを特徴とする請求項１に記載の防水パッキン。
【請求項３】
略円柱形のパッキンのパーティングラインを境として上半分と下半分が異なる構成物で形成され、前記異なる構成物で形成される上半分と下半分は色が異なることを特徴とする防水パッキン。
【請求項４】
略円柱形のパッキンのパーティングラインを境として上半分と下半分が材質の異なる構成物で構成され、前記下半分よりも前記上半分の方が硬度が柔らかく、前記下半分は前記パッキンの一部を支持してもその形状を維持できる程度の硬度を有し、前記上半分は砂粒が埋没可能な程度の柔らかさであることを特徴とする防水パッキン。
【請求項５】
カメラを内部に収納する防水ケースを構成する開閉可能な２つのケースの接合部に請求項１〜４に記載の防水パッキンを組み込んだことを特徴とする防水カメラケース。
【請求項６】
カメラを内部に収納する防水ケースを構成する開閉可能な２つのケースの接合部の少なくとも一方の内側に、砂粒が埋没可能な程度の柔らかさの軟質材を配置し、前記２つのケースの接合部の間に前記軟質材よりも硬度の硬い材質の防水パッキンを組み込んだことを特徴とする防水カメラケース。
【発明の詳細な説明】
【技術分野】
【０００１】
本発明は、防水パッキン及び防水カメラケースに係り、特に、海中での水中撮影等に使用される防水カメラケースの開閉部等に用いられ、確実な水密性を確保する防水パッキン及び防水カメラケースに関する。
【背景技術】
【０００２】
従来、水道の蛇口や防水時計あるいは水中カメラの防水ケース等の水密性を確保する必要がある部分においてＯリング等の防水パッキンが用いられている。
【０００３】
このようなＯリング等の防水パッキンは、固定側金型と可動側金型とを圧接して形成されたキャビティー内に、ゴム材料を主とした弾性材料からなる成形材料を射出して成形される。このとき、固定側金型と可動側金型のキャビティー以外の接触部において隙間が生じることがあり、金型内に射出された成形材料がこの隙間に入り込むと、成形された製品のパーティングラインに沿って、いわゆるバリと称される突出部（凸部、バリ段差）が発生する。
【０００４】
このＯリングを用いて水密性を確保する際には、防水ケースに設けられた貫通穴内壁面との間にＯリング等の防水パッキンを圧入し密着させているが、この穴内壁面との密着部であるパッキンの最内径、最外径に、上記パーティングラインに沿って形成された凸部（バリ段差）が位置していると、その凸部と内壁面との間にわずかな隙間が発生し、そこから水が入ってしまい水密性が確保できないという問題がある。
【０００５】
これに対して、例えば、合成ゴムから成るパッキンの断面形状において、パッキンを成形する際の型合わせ位置に生じるパーティングラインの位置を中心からずらすことにより、Ｏリングのパーティングライン位置を、防水ケースの貫通穴内壁面との接触範囲からずらすことで当該接触面にバリ段差を存在させないようにして水密性を確保するようにしたものが知られている（例えば、特許文献１等参照）。
【特許文献１】特開平６−２１３３２６号公報
【発明の開示】
【発明が解決しようとする課題】
【０００６】
しかしながら、上記特許文献１に記載されたようなパッキンであっても、例えば図１０（ａ）に示すように、防水ケース９０と開閉蓋９２を合わせて、それぞれに形成された溝９０ａと９２ａとの間に円筒形のパッキン９４を組み込むときに、パッキン９４がねじれてしまい、パーティングライン９６が一定位置に配置されないことがある。
【０００７】
そうすると、防水ケース９０と開閉蓋９２を合わせて中にパッキン９４を入れた状態での、図１０（ａ）の１０Ｂ−１０Ｂ線に沿った断面図を図１０（ｂ）に示すように、パッキン９４の凸状のパーティングライン９６が開閉蓋９２の溝９２ａの内壁面（パッキン９４と開閉蓋９２との接触面）に位置して、凸状のパーティングライン９６が接触面に当たり、微小な隙間が発生する。これでは、この隙間から水が侵入してしまい、水密性を確保することができないという問題がある。
【０００８】
また例えば、防水カメラケースを砂浜等で開閉した際、微小な砂や埃等が防水ケースの接合部の溝に侵入して防水パッキンの表面に付着したりすると、これが防水ケースとの接触面に当たり、前述した凸状のパーティングラインの場合と同様に、微小な隙間が発生し、そこから漏水するという問題がある。
【０００９】
本発明は、このような事情に鑑みてなされたもので、パッキンを組み込む際にねじれたりせずパーティングラインが防水ケースとの接触面に位置しないように取り付けることができ、また砂等がパッキンに付着しても、水密性を確実に確保することのできる防水パッキン及び防水カメラケースを提供することを目的とする。
【課題を解決するための手段】
【００１０】
前記目的を達成するために、請求項１に記載の発明は、略円柱形のパッキンのパーティングラインを境として上半分と下半分が異なる構成物で形成され、前記異なる構成物で形成される上半分と下半分の大きさを異ならせてパーティングラインの位置に段差を形成したことを特徴とする防水パッキンを提供する。
【００１１】
これにより、意図的に段差を設けることでパーティングラインを視認し易くしたため、パーティングラインの位置が分かり易くなり、防水パッキンの組み込み時の作業性及び視認性が向上する。
【００１２】
また、請求項２に示すように、前記段差は、前記円柱形の軸方向に垂直な断面が、半径の異なる２つの半円の直径部分を接合した形状を有して形成されたことを特徴とする。
【００１３】
これにより、パーティングラインが見やすくなり、防水パッキン組み込み時の作業性、視認性が向上する。
【００１４】
また、同様に前記目的を達成するために、請求項３に記載の発明は、略円柱形のパッキンのパーティングラインを境として上半分と下半分が異なる構成物で形成され、前記異なる構成物で形成される上半分と下半分は色が異なることを特徴とする防水パッキンを提供する。
【００１５】
これにより、防水パッキンを２色にすることで、パーティングラインの位置がわかり易くなり、作業性、視認性が向上する。
【００１６】
また、同様に前記目的を達成するために、請求項４に記載の発明は、略円柱形のパッキンのパーティングラインを境として上半分と下半分が材質の異なる構成物で構成され、前記下半分よりも前記上半分の方が硬度が柔らかく、前記下半分は前記パッキンの一部を支持してもその形状を維持できる程度の硬度を有し、前記上半分は砂粒が埋没可能な程度の柔らかさであることを特徴とする防水パッキンを提供する。
【００１７】
これにより、防水ケースの開閉により接合部に組み込まれた防水パッキン表面に砂粒が付着しても砂粒がパッキンに埋没するためその影響を受けることはない。
【００１８】
また、略円柱形のパッキンの内側と外側が異なる材質で構成され、内側よりも外側の方が硬度が柔らかく、内側は前記パッキンの一部を支持してもその形状を維持できる程度の硬度を有し、外側は砂粒が埋没可能な程度の柔らかさでありその厚みは砂粒の径より大きいことが好ましい。
【００１９】
これにより、微小な砂粒も防水ケースの開閉側の内壁面を軟質材にすることで砂粒が防水パッキンに付着しても、砂粒が軟質材に埋没するため隙間が発生することはなく、漏水の虞がない。
【００２０】
また、同様に前記目的を達成するために、請求項５に記載の発明は、カメラを内部に収納する防水ケースを構成する開閉可能な２つのケースの接合部に請求項１〜４に記載の防水パッキンを組み込んだことを特徴とする防水カメラケースを提供する。
【００２１】
これにより、防水カメラケースの防水性を確実に確保することができる。
【００２２】
また、同様に前記目的を達成するために、請求項６に記載の発明は、カメラを内部に収納する防水ケースを構成する開閉可能な２つのケースの接合部の少なくとも一方の内側に、砂粒が埋没可能な程度の柔らかさの軟質材を配置し、前記２つのケースの接合部の間に前記軟質材よりも硬度の硬い材質の防水パッキンを組み込んだことを特徴とする防水カメラケースを提供する。
【００２３】
これにより、海岸等の砂地において防水ケースを開閉しても微小な砂粒により防水ケースが漏水することなく、防水カメラケースの水密性を維持することができる。  
【発明の効果】
【００２４】
以上説明したように、本発明によれば、略円柱形のパッキンのパーティングラインを境として上半分と下半分を異なる構成物で形成し、意図的に段差を設けることでパーティングラインを視認し易くしたため、パーティングラインの位置が分かり易くなり、防水パッキンの組み込み時の作業性及び視認性が向上する。
【発明を実施するための最良の形態】
【００２５】
以下、添付図面を参照して、本発明に係る防水パッキン及び防水カメラケースについて詳細に説明する。
【００２６】
図１は、本発明に係る防水パッキンの第１実施形態の概略を示すものであり、図１（ａ）はその斜視図、図１（ｂ）は、図１（ａ）中の１Ｂ−１Ｂ線に沿った断面図である。
【００２７】
図１（ａ）に示すように、第１実施形態の防水パッキン１０は、略円柱状に形成され、その長手方向（円柱の軸方向）に垂直な断面は、図１（ｂ）に示すように、上半分１２及び下半分１４は、それぞれ半円形をしており、上半分１２の径Ｒａと下半分１４の径Ｒｂを、Ｒａ＜Ｒｂのように異ならせて、上半分１２と下半分１４との間に段差１８が形成されている。図１（ａ）に示すように、この段差１８は、パーティングライン１６に沿って防水パッキン１０の全長に亙って形成されている。
【００２８】
本実施形態の防水パッキン１０は、パーティングライン１６を視認し易くするために、意図的にパーティングライン１６に沿って段差１８を形成したものである。このように、パーティングライン１６に沿って段差１８を設けたため、防水パッキン１０のパーティングライン１６を肉眼ではっきりと確認することができ、作業者が防水パッキン１０を防水ケースの溝等に取り付ける際、パーティングライン１６が溝の内壁との接触面に位置しないように取り付けることができる。また、取り付けた後も、防水パッキン１０がねじれて取り付けられていないかを容易に目視で確認できるようになった。このように、パーティングラインに沿って段差を設けることによって、パーティングラインの位置がわかり易くなり、作業性及び視認性の向上を図ることが可能となった。
【００２９】
なお、パーティングラインをはっきりと視認できるように段差を設ける方法は、上に示したもののように、上半分と下半分のそれぞれの径を変えて段差を形成するものに限定されるものではない。例えば、上半分と下半分の大きさを変えたり、作業者が容易に視認できる程度の大きさの凸部をパーティングラインに沿って形成するようにしてもよい。
【００３０】
また、成形の方法も特に限定されるものではない。例えば、金型のキャビティーに成形材料を一回射出して全体を一度に形成する一色成形でもよいし、上半分と下半分を別々に２回に分けて形成する２色成形でもよい。
【００３１】
図２は、本発明に係る防水パッキンの第２実施形態の概略を示すものであり、図２（ａ）はその斜視図、図２（ｂ）は、図２（ａ）中の２Ｂ−２Ｂ線に沿った断面図である。
【００３２】
図２（ａ）に示すように、第２実施形態の防水パッキン２０は、円柱状に形成され、上半分２２と下半分２４とがパーティングライン２６を境界として、異なる色で形成されている。
【００３３】
このように、本実施形態の防水パッキン２０は、パーティングライン２６を境界として上半分２２と下半分２４を異なる色にして２色に色分けしたため、図２（ｂ）に示すように、一色の場合にはほとんど視認できないようなパーティングライン２６の微小な凸部を、はっきりと視認することができるようになった。
【００３４】
これにより、作業者が防水パッキン２０を防水ケースの溝等に取り付ける際、パーティングライン２６が溝の内壁との接触面に位置しないように取り付けることができ、作業性・視認性が向上する。
【００３５】
また、このように防水パッキン２０を２色に形成する方法としては、下半分と上半分をそれぞれ色の異なる別の成形材料を用いて２色成形すればよいが、特にこれに限定されるものではない。例えば一色成形により一度に成形して、上型を開けて成形された防水パッキンの上半分にだけ何か色を塗るようにしてもよい。
【００３６】
上で述べた第１実施形態の防水パッキンの断面は径の異なる２つの半円を合わせたものであり、また第２実施形態の防水パッキンの断面は円であったが、断面はこのように半円あるいは円のみに限定されるものではない。
【００３７】
図３に、断面の他の例を示す。例えば、図３（ａ）に示す防水パッキン１０’は、その断面が、前述した第１実施形態の防水パッキン１０と同様に、径の異なる半円状の上半分１２’と下半分１４’とを有し、段差１８’が形成されたパーティングライン１６’の上下は、長方形を積み重ねた形状でその左右の周は直線で階段状に形成されたストレート部Ｓとなっている。
【００３８】
また、図３（ｂ）に示す防水パッキン２０’は、その断面が、前述した第２実施形態の防水パッキン２０と同様に、パーティングライン２６’を挟んで上半分２２’と下半分２４’が２色に形成されているが、パーティングライン２６’付近は長方形でその左右の周が直線状に形成されたストレート部Ｓとなり、小判型（俵型）をしている。
【００３９】
上で説明した各実施形態は、それぞれ、防水パッキンを防水ケース等に組み込む際、パーティングラインがケースとの接触面に位置しないように、パーティングラインを視認し易くして作業性を向上させるものであった。これに対し次に説明するものは、防水パッキンの表面に砂粒等が付着し防水ケースとの間に隙間が生じて漏水するという問題に対処するものである。
【００４０】
図４（ａ）は、本発明に係る防水パッキンの第３実施形態の概略を示す長手方向（軸方向）に垂直な断面図である。
【００４１】
本実施形態の防水パッキン３０は円柱状をしており、図４（ａ）に断面を示すように、円柱の芯にあたる内側３２とそれを取り巻く外側３４の２つの材質から形成されている。
【００４２】
このとき、内側３２は、適度な硬度を持つゴム材で形成され、外側３４は、それよりも柔らかいゴム等の軟質材で形成されている。すなわち、内側３２の材質の硬度をＨｉ、外側３４の硬度をＨｏとすると、Ｈｉ＞Ｈｏである。
【００４３】
内側３２の適度な硬度とは、例えば防水ケースの溝に、例えばＯ−リング状に形成された防水パッキンを組み込む際、防水パッキンの一部を支持してもその形状を維持することができ、組み込みが容易に行われ、作業性が確保できる程度の硬度であればよい。
【００４４】
また、外側３４の硬度としては、外側３４を形成する軟質材は、その表面に砂粒が付着しても、そのまま防水ケースとの接触面に押し付けた場合、砂粒が外側３４の軟質材の中に埋没してしまう程度の柔らかさが必要とされる。
【００４５】
このように、本実施形態の防水パッキン３０は、硬度の異なる２つの材料によって２色成形される。
【００４６】
図４（ｂ）に、その表面に砂粒が付着した、本実施形態の防水パッキン３０を、防水ケースの溝に組み込んだ様子を断面図で示す。
【００４７】
図４（ｂ）に示すように、防水ケース３６とその開閉蓋３７とによって形成された溝３８の中に円柱形の防水パッキン３０を組み込む。このとき防水パッキン３０の表面には砂粒３５が付着しており、しかも付着した砂粒３５が、開閉蓋３７の内壁の防水パッキン３０との接触面３７ａに丁度位置していたとする。
【００４８】
しかし、本実施形態の防水パッキン３０は、適度な硬度の内側３２とそれよりも柔らかい軟質材で形成された外側３４とから構成されているため、防水パッキン３０の外側３４表面に付着した砂粒３５は、接触面３７ａに圧接されて外側３４の軟質材の中に埋没し、さらにその上を軟質材が覆うように変形する。
【００４９】
このように、砂粒３５は外側３４軟質材の中に埋没してしまうため、防水パッキン３０と接触面３７ａとの間に隙間が発生することはなく、漏水の虞れは全くない。
【００５０】
なお、図４（ｂ）からも明らかなように、砂粒３５が完全に外側３４軟質材の中に埋没するためには、外側３４軟質材の厚さｔは、砂粒３５の径（最大径）よりも大きくなければならない。付着してもはっきりと視認できる程度の砂粒であれば、開閉蓋を閉じる際に取り除けばよいので、外側３４の最小限の厚さｔとしては、視認するのが困難な程度の砂粒の径より多少大きければよい。
【００５１】
また、本実施形態においては、外側３４は軟質材で形成されているため、パーティングライン（図４では図示省略）の凸部が開閉蓋３７の接触面３７ａに当たっても変形して潰れるため特に問題はないが、前述した実施形態のように、パーティングラインの位置に段差を形成してもよいし、パーティングラインを境界として２色に色分けしてもよい。
【００５２】
このように、本実施形態によれば、防水パッキンの表面に微小な砂や埃が付着しても、防水パッキン外側の軟質材中に埋没してしまうので、確実に水密性が確保され漏水する虞れはない。
【００５３】
次に、本発明に係る防水パッキンの第４実施形態について説明する。図５に、本発明の第４実施形態の防水パッキンを防水ケースの溝に組み込んだ様子を断面図で示す。
【００５４】
図５に示すように、本実施形態の防水パッキン４０は、円柱形状であり、上半分４２と下半分４４とを硬度の異なる２つの材質で形成したものである。ここで、下半分４４は、上記第３実施形態の防水パッキン３０の内側３２と同様の適度な硬度のゴム材等で形成され、上半分４２は、同じく第３実施形態の防水パッキン３０の外側３４と同様の軟質材で形成されている。すなわち、上半分４２の材質の硬度をＨｕ、下半分４４の材質の硬度をＨｄとするとき、Ｈｄ＞Ｈｕとする。
【００５５】
防水パッキンを防水ケースに組み込む際には砂等が防水パッキン表面に付着することはなく、防水パッキンを組み込んだ後、防水ケースを使用しているときに、防水ケースの開閉蓋を開け閉めする際に砂等が侵入して防水パッキンの表面に付着することが多いと考えられる。
【００５６】
そのため、防水パッキンが組み込まれる防水ケース４６側である防水パッキン４０の下半分４４を適度な硬度のゴム材等で形成し、砂粒等が付着する可能性のある開閉蓋４７側である防水パッキン４０の上半分４２を軟質材で形成する。このようにして、防水ケース４６と開閉蓋４７とで形成される溝４８中に防水パッキン４０を組み込んでおけば、開閉蓋４７を開けたときに開放された上半分４２の表面に砂粒４５が付着し、そのまま開閉蓋４７を閉じたとしても、開閉蓋４７の内壁の接触面４７ａによって砂粒４５が圧接されて防水パッキン４０の上半分４２の軟質材中に埋没するため、水密性を保つことができる。
【００５７】
図６は、本発明に係る防水パッキンを用いた防水カメラケースの概略を示すものである。防水カメラケースは、通常のカメラをケース内部に収納してカメラの内部に水が侵入しないように完全に密封して水中撮影を行えるようにするものである。
【００５８】
図６（ａ）は、ケースを開いた状態を示す斜視図であり、図６（ｂ）は、ケースの接合部を示す図６（ａ）中の６Ｂ−６Ｂ線に沿った断面図である。
【００５９】
図６（ａ）に示すように、防水カメラケース５０は、図６（ａ）に示すように、ケース内部に収納されるカメラ（図示省略）の前面側を覆う前面側部材５２と、カメラの背面側を覆う背面側部材５４とから成り、蝶番５６により前面側部材５２と背面側部材５４が開閉可能になっている。
【００６０】
また、図６（ａ）に示すように、前面側部材５２と背面側部材５４とを開いて、ケース内部５８にカメラ（図示省略）が収納される。また、ケース内部５８にカメラ（図示省略）を収納して前面側部材５２と背面側部材５４とを閉じた場合には、そのケースの接合部分には、水密性を保持するためのゴムパッキン６０が嵌め込まれている。
【００６１】
図６（ｂ）に、防水カメラケース５０の接合部の図６（ａ）中の６Ｂ−６Ｂ線に沿った断面図を示す。
【００６２】
図６（ａ）に示すように、防水カメラケース５０の前面側部材５２と背面側部材５４とで形成される貫通穴６２内に防水のためのゴムパッキン６０が嵌め込まれている。ゴムパッキン６０は、特に限定されるものではなく、図６（ｂ）では、前述した本発明の第１実施形態に係る防水パッキン１０が用いられている。
【００６３】
このとき、ゴムパッキン６０には、パーティングライン６６に意図的に段差６８が設けられているため、パーティングライン６６をはっきりと確認できるので、背面側部材５４に形成された貫通穴内壁面６４に、段差６８が当接しないように嵌め込むことができる。
【００６４】
従って、図６（ｂ）に破線で示したように、背面側部材５４に対して前面側部材５２を圧接した際、貫通穴内壁面にパーティングライン６６に形成された段差６８が当たることがないので、確実に防水性を確保することができる。
【００６５】
図７に、接合部の他の例を断面図で示す。
【００６６】
図７に示すように、ゴムパッキン６０として、第１実施形態のような防水パッキン１０を用いた場合には、上下のケースで接合部の幅を変えるようにしてもよい。
【００６７】
ゴムパッキン６０のパーティングライン６６に沿って形成された段差６８に合わせ、ケースの一方、例えば前面側部材５２の形状を変えて、段差５２ａを形成してケースの幅を変えるようにしてもよい。
【００６８】
これにより、段差６８の形成されたパーティングライン６６を貫通穴内壁面と当接する位置に来ないようにして、ゴムパッキン６０を確実に嵌め込むことができる。
【００６９】
また、防水パッキンの表面に砂粒等が付着して防水ケースとの間に隙間が生じ漏水する問題に対処するものとして、図４に示すように防水パッキンの外側を、圧接したときに砂粒がその中に埋没してしまうような軟質材で形成したものを示したが、これの変形例を次に説明する。
【００７０】
すなわち、防水パッキンの外側を軟質材とする代わりに、防水パッキンと当接する防水ケースの内壁側の方を軟質材で形成するようにしても、防水パッキン表面への砂粒の付着に対して同様の効果を得ることができる。
【００７１】
図８に、このような防水カメラケースの接合部の断面図を示す。
【００７２】
図８に示すように、防水カメラケースの前面側部材７２と背面側部材７４とで形成される貫通穴７５の中に防水パッキン７６が嵌め込まれている。
【００７３】
この防水パッキン７６は、円柱状であり、例えば、前述した第３実施形態の防水パッキン３０の適度な硬度を持つゴム材で形成された内側３２と同様に、適度な硬度を持つゴム材で形成されている。
【００７４】
図８に示すように、防水カメラケースの前面側部材７２及び背面側部材７４の防水パッキン７６と当接するそれぞれの内壁面７２ａ及び７４ａ側は、上記第３実施形態の防水パッキン３０の外側の軟質材と同様に砂粒が埋没するような軟質材で形成されている。
【００７５】
このように、防水パッキン７６の表面と接する側の内壁面７２ａ、７４ａが軟質材で形成されているため、前面側部材７２と背面側部材７４を開いたときに砂粒が防水パッキン７６の表面に付着したとしても、図４（ｂ）に示す第３実施形態の場合と同様に、砂粒は軟質材の中に埋没してしまうため、隙間が発生してそこから水が漏るようなことはない。
【００７６】
また、前述した第４実施形態において防水パッキンの上半分のみを軟質材で形成したのと同様にして、本例においても、防水カメラケースの上側だけに軟質材を設けるようにしてもよい。
【００７７】
すなわち、図９に示すように、防水カメラケースの前面側部材８２と背面側部材８４とで形成される貫通穴８５に防水パッキン８６を嵌め込んでいるとき、防水パッキン８６が当接する上側の前面側部材８２の内壁面８２ａにのみ軟質材８８を設けるようにする。
【００７８】
防水カメラケースの前面側部材８２を開閉する際に、砂粒が付着する可能性があるのは、防水パッキン８６の上側の表面であり、これと接触する前面側部材８２（開閉側）にのみ軟質材８８を形成しておけば、防水を確保するためには充分である。
【００７９】
以上、本発明の防水パッキン及び防水カメラケースについて詳細に説明したが、本発明は、以上の例には限定されず、本発明の要旨を逸脱しない範囲において、各種の改良や変形を行ってもよいのはもちろんである。
【図面の簡単な説明】
【００８０】
【図１】本発明に係る防水パッキンの第１実施形態の概略を示すものであり、（ａ）は斜視図、（ｂ）は図１（ａ）中の１Ｂ−１Ｂ線に沿った断面図である。
【図２】本発明に係る防水パッキンの第２実施形態の概略を示すものであり、（ａ）は斜視図、（ｂ）は図２（ａ）中の２Ｂ−２Ｂ線に沿った断面図である。
【図３】（ａ）、（ｂ）は、防水パッキンの他の例を示す断面図である。
【図４】（ａ）は、本発明に係る防水パッキンの第３実施形態の概略を示す長手方向に垂直な断面図であり、（ｂ）は、その表面に砂粒が付着した本実施形態の防水パッキンを防水ケースの溝に組み込んだ様子を示す断面図である。
【図５】本発明の第４実施形態の防水パッキンを防水ケースの溝に組み込んだ様子を示す断面図である。
【図６】本発明に係る防水パッキンを用いた防水カメラケースの概略を示すものであり、（ａ）はケースを開いた状態を示す斜視図であり、（ｂ）はケースの接合部を示す図６（ａ）中の６Ｂ−６Ｂ線に沿った断面図である。
【図７】防水カメラケースの接合部の他の例を示す断面図である。
【図８】防水カメラケースの接合部の内壁面に軟質材を形成した様子を示す断面図である。
【図９】同じく防水カメラケースの接合部の内壁面に軟質材を形成した他の例を示す断面図である。
【図１０】従来の防水パッキンの概略を示すものであり、（ａ）は斜視図、（ｂ）は図１０（ａ）中の１０Ｂ−１０Ｂ線に沿った断面図である。
【符号の説明】
【００８１】
１０…防水パッキン、１２…（防水パッキンの）上半分、１４…（防水パッキンの）下半分、１６…パーティングライン、１８…段差、５０…防水カメラケース、５２…前面側部材、５４…背面側部材、５６…蝶番、５８…ケース内部、６０…ゴムパッキン
【図１】
2008197277.tif 000003
【図２】
2008197277.tif 000004
【図３】
2008197277.tif 000005
【図４】
2008197277.tif 000006
【図５】
2008197277.tif 000007
【図６】
2008197277.tif 000008
【図７】
2008197277.tif 000009
【図８】
2008197277.tif 000010
【図９】
2008197277.tif 000011
【図１０】
2008197277.tif 000012